(57)【要約】【課題】  構造上、「電池を脱着した後でＳＩＭカードを脱着する」という順序を守ることができ、かつ落下させても電池の下にＳＩＭカードがカード支持台から外れて潜り込むことを防止できる携帯情報機器を提供する。【解決手段】  携帯情報機器５０は、下筐体２と、ＳＩＭカードロック蓋３３とを備えている。下筐体２は、電池３２を装着するための電池挿入用凹部３４と、その電池挿入用凹部３４の側面にＳＩＭカードを挿抜するための開口部３５とを有している。ＳＩＭカードロック蓋３３は、開口部３５を開閉可能なように下筐体２に支持されている。【選択図】        図４
2005159638.tif 000002
【特許請求の範囲】
【請求項１】
電池を装着するための凹部と前記凹部の側面にＳＩＭカードを挿抜するための開口部とを有する筐体と、
前記開口部を開閉可能なように前記筐体に支持された蓋とを備えた、携帯情報機器。
【請求項２】
前記蓋の一端には、前記蓋を前記筐体に対して回動可能にすることで前記開口部を開閉可能にするための回転軸が設けられており、
前記蓋の他端には、前記開口部を前記蓋で閉じた状態で前記蓋を前記筐体にロックするための突起が設けられていることを特徴とする、請求項１に記載の携帯情報機器。
【請求項３】
前記蓋は板材で形成されており、前記蓋をスライド可能に挿入できる溝を前記筐体が有し、前記蓋が前記溝に沿ってスライドすることにより前記開口部が開閉可能になることを特徴とする、請求項１に記載の携帯情報機器。
【請求項４】
前記蓋は樹脂成形品で形成されていることを特徴とする、請求項２に記載の携帯情報機器。
【発明の詳細な説明】
【技術分野】
【０００１】
本発明は、携帯情報機器に関し、特に、ＳＩＭカードの取付け構造を有する携帯情報機器に関するものである。
【背景技術】
【０００２】
特開２００２−２１８０３２号公報には、携帯電話のＳＩＭ（Subscriber Identity Mobile）カード取り付け構造が開示されている。この公報には、ＳＩＭカードをＳＩＭカード取り付け用の穴部に挿入し、その状態でＳＩＭカードの端面が見えるように開けられた穴または切り欠きによってＳＩＭカードの装着状態を確認可能であり、それによりＳＩＭカードを所定の位置にセットする際にも、また取り外しの際にもこの穴や切り欠きから指などで容易に操作できることが記載されている。
【０００３】
また、特開２０００−４９９１７号公報にも、ＳＩＭカードを取り付け可能な携帯電話機が開示されている。この公報には、電池を装着する筐体の凹部側面にＳＩＭカードを挿抜するための挿通孔を設け、その挿通孔に電池蓋を係止するための突起部を嵌入させ、ＳＩＭカードの挿抜と電池蓋との係止とを共通の挿通孔によって行なうことにより電池装着用凹部の一端内面に強度低下が生じにくく、電話機外殻の設計および生産が容易となることなどが記載されている。
【０００４】
なお、ＳＩＭカードとは、ＧＳＭ（Global System for Mobile Communications）携帯電話で使われているＩＣ（Integrated Circuit）カードであり、内部には電話番号やユーザＩＤ（Identi-fication）、通話料金、電話帳、メモなどの情報が記載されている。このＩＣカードを使用することで、携帯電話のハードに依存せずに同一の環境での利用が可能になる。即ち、携帯電話端末を自由に交換することができる。
【特許文献１】特開２００２−２１８０３２号公報
【特許文献２】特開２０００−４９９１７号公報
【発明の開示】
【発明が解決しようとする課題】
【０００５】
しかしながら、ＳＩＭカードの装着のソケットにはＳＩＭカードの装着、脱着の検出機能のあるものと、ないものとがある。装着、脱着の検出機能のあるものは問題ないが、装着、脱着の検出機能のないものを使用すると「電池を脱着した後でＳＩＭカードを脱着する」という順序を守らないと、ＳＩＭカードが破壊される恐れがある。
【０００６】
更に、ＳＩＭカード搭載可能な携帯情報機器にＳＩＭカードを搭載して落下させた時に、電池の蓋は脱落しないのにＳＩＭカードが携帯情報機器のエジェクト機構から外れ、電池の下に潜り込んでしまったというテスト結果がある。即ち、電池が通電している状態でＳＩＭカードが脱落したことになり、ＳＩＭカードが破壊される可能性がある。
【０００７】
特開２００２−２１８０３２号には、上記脱着の順序を守ることについての記載はない。
【０００８】
また特開２０００−４９９１７号公報には、上記脱着の順序を守ることについての記載はないが、その構造上、ＳＩＭカード装着時には電池蓋、電池を外してＳＩＭカードを装着し、またＳＩＭカード脱着時には電池蓋、電池を外し、ＳＩＭカードを脱着するという順序が守られることになる。
【０００９】
しかしながら、市場に出ている携帯電話においては、携帯電話自身の厚みを薄くするニーズから電池蓋の厚みは約１ｍｍとなっている。このため、特開２０００−４９９１７号公報に記載された構造において、製品を落下させた場合、電池蓋が撓んで膨らみ、電池が電池装着用凹部から浮いて、その電池の下にＳＩＭカードがカード支持台から外れて潜り込むという現象が起こり得る。
【００１０】
そこで本発明の目的は、その構造により「電池を脱着した後でＳＩＭカードを脱着する」という順序を守ることができ、かつ落下させた場合においても電池の下にＳＩＭカードがカード支持台から外れて潜り込むことを防止できる携帯情報機器を提供することである。
【課題を解決するための手段】
【００１１】
本発明の携帯情報機器は、電池を装着するための凹部とその凹部の側面にＳＩＭカードを挿抜するための開口部とを有する筐体と、その開口部を開閉可能なように筐体に支持された蓋とを備えている。
【００１２】
上記の携帯情報機器において好ましくは、蓋の一端には、その蓋を筐体に対して回動可能にすることで開口部を開閉可能にするための回転軸が設けられており、蓋の他端には、開口部を蓋で閉じた状態で蓋を筐体にロックするための突起が設けられている。
【００１３】
上記の携帯情報機器において好ましくは、蓋は板材で形成されており、その蓋をスライド可能に挿入できる溝を筐体が有し、蓋が溝に沿ってスライドすることにより開口部が開閉可能になる。
【００１４】
上記の携帯情報機器において好ましくは、蓋は樹脂成形品で形成されている。
【発明の効果】
【００１５】
本発明の携帯情報機器によれば、蓋によってＳＩＭカード挿抜用の開口部を開閉可能であるため、ＳＩＭカードを開口部から差し込んで装着した後にその開口部を蓋で閉じることができる。開口部を蓋で閉じた状態で電池を筐体の凹部に装着することにより、この蓋が開くことを電池により防止することが可能となる。これにより、携帯情報機器を落下させた場合においても、開口部を蓋で閉じた状態を維持できるため、落下の衝撃で開口部からＳＩＭカードが飛び出して電池の下に潜り込むという現象を防止できる。
【００１６】
また、電池を装着するための凹部の側面にＳＩＭカードを挿抜するための開口部が設けられているため、電池を携帯情報機器の本体（筐体）から取り外さなければ、ＳＩＭカードを取り外すことができない。このため、「電池を脱着した後でＳＩＭカードを脱着する」という順序を守れる構造を実現することができる。
【発明を実施するための最良の形態】
【００１７】
以下、本発明の実施の形態について図面に基づいて説明をする。
【００１８】
図１および図２は、本発明の一実施の形態における折畳み式携帯電話の開いた状態を示す正面図および背面図である。また図３および図４は、本発明の一実施の形態における折畳み式携帯電話を閉じて（折畳んで）電池蓋と電池とを取り外した状態であって、ＳＩＭカードロック蓋でＳＩＭカード挿抜用開口部を閉じた状態および開いた状態を示す斜視図である。
【００１９】
図１〜図４を参照して、本実施の形態の折畳み式携帯電話５０は、上筐体１と、下筐体２と、表示部１１と、受話部１２と、サブ表示部１３と、カメラ１４と、照明部１５と、入力部２１と、送話部２２と、電池蓋３１と、電池（図示せず）と、ＳＩＭカードロック蓋３３とを主に有している。
【００２０】
主に図１を参照して、上筐体１と下筐体２とはヒンジ部で折畳み可能に連結されている。上筐体１の表面（折畳んだ状態で外部から視認できない面）には、情報を表示するための表示部１１と、受話音声を発するための受話部１２とが設けられている。下筐体２の表面（折畳んだ状態で外部から視認できない面）には、情報を入力するためのファンクションキー、テンキーなどの操作部を含む入力部２１と、通話用マイクとなる送話部２２とが設けられている。
【００２１】
主に図２を参照して、上筐体１の背面（折畳んだ状態で外部から視認できる面）には、情報を表示するためのサブ表示部１３と、映像を撮影するためのカメラ１４と、照明光を発するための照明部１５とが設けられている。下筐体２の背面（折畳んだ状態で外部から視認できる面）には、携帯電話５０に電力を供給する電池を覆うための電池蓋３１が取り付けられている。
【００２２】
主に図３および図４を参照して、下筐体２の背面には、電池を装着するための電池挿入用凹部３４が設けられている。この電池挿入用凹部３４の側面には、ＳＩＭカード３７を挿抜するための開口部３５が設けられている。この開口部３５を開閉可能なように、ＳＩＭカードロック蓋３３が下筐体２に回動可能に支持されている。
【００２３】
このＳＩＭカードロック蓋３３は、図５に示すように一端には回転軸部４１を有し、他端には突起状の爪４２を有している。この回転軸部４１は、ＳＩＭカードロック蓋３３を下筐体２に対して回動可能に支持することにより開口部３５の開閉動作を可能とするものである。爪４２は、開口部３５をＳＩＭカードロック蓋３３で閉じた状態でＳＩＭカードロック蓋３３を下筐体２にロックするためのものである。
【００２４】
また、ＳＩＭカードロック蓋３３の一端と他端との間には突起部４３が設けられており、操作者がこの突起部４３に指の爪などを引っ掛けてＳＩＭカードロック蓋３３を回転軸部４１を中心として回動させることにより、開口部３５の開閉操作を行なうことが可能となる。
【００２５】
主に図３および図４を参照して、下筐体２はＳＩＭカードロック蓋３３を格納するための格納用溝３６を有している。これにより、ＳＩＭカードロック蓋３３で開口部３５を閉じた状態においては、ＳＩＭカードロック蓋３３は格納用溝３６に嵌まり込み、電池挿入用凹部３４の側面とＳＩＭカードロック蓋３３の外表面とはほぼフラットな面を構成することとなる。
【００２６】
なお、ＳＩＭカードロック蓋３３はたとえば樹脂成形品で形成されている。また、ＳＩＭカード３７はたとえば図６に示すような外形を有している。
【００２７】
次に、本実施の形態の折畳み式携帯電話におけるＳＩＭカードの装着動作について説明する。
【００２８】
図７〜図１３は、本発明の一実施の形態における折畳み式携帯電話でのＳＩＭカードの装着動作を工程順に示す斜視図である。図７を参照して、下筐体２の背面に取り付けられている電池蓋３１を矢印Ａ方向に指で軽く押さえながら矢印Ｂ方向にスライドさせて、電池蓋３１の下筐体２に対するロックを解除する。
【００２９】
図８を参照して、スライドした電池蓋３１を矢印Ｃ方向に持ち上げて、下筐体２から電池蓋３１を取り外す。
【００３０】
図９を参照して、電池蓋３１を取り外すことにより、電池３２が露出する。電池３２は電池挿入用凹部３４に挿入されているだけなので、電池３２の露出した部分を矢印Ｄ方向に引き上げて、電池挿入用凹部３４から電池３２を取り外す。
【００３１】
図１０を参照して、ＳＩＭカードロック蓋３３はＳＩＭカード挿抜用の開口部３５を閉じているため、ＳＩＭカードロック蓋３３の突起部４３に指の爪をかけて矢印Ｅ方向にＳＩＭカードロック蓋３３を引っ張る。これによりＳＩＭカードロック蓋３３の他端の弾性を有する爪４２が下筐体２からはずれ、ＳＩＭカードロック蓋３３の下筐体２に対するロックを解除する。
【００３２】
図１１を参照して、この後、さらにＳＩＭカードロック蓋３３の突起部４３を引っ張ることにより、ＳＩＭカードロック蓋３３は回転軸部４１を中心として回動し、ＳＩＭカード挿抜用の開口部３５が露出する。この露出したＳＩＭカード挿抜用の開口部３５に、矢印Ｆ方向からＳＩＭカード３７を挿入する。
【００３３】
図１２を参照して、ＳＩＭカード３７を開口部３５に挿入した後、ＳＩＭカードロック蓋３３を矢印Ｇ方向に回動させることにより、開口部３５をＳＩＭカードロック蓋３３により閉じる。この際、ＳＩＭカードロック蓋３３の他端の爪４２が下筐体２に係合することにより、ＳＩＭカードロック蓋３３が開口部３５を閉じた状態で下筐体２にロックされる。
【００３４】
図１３を参照して、電池３２を矢印Ｈ方向に押さえながら電池挿入用凹部３４に挿入することにより、電池３２を電池挿入用凹部３４内に装着する。更に図示しないが、該電池蓋３１を外すときの反対の動作で該電池蓋３１を下筐体２に取り付けることができる。
【００３５】
上記においてはＳＩＭカード３７を装着する場合について説明したが、逆に該ＳＩＭカード３７を脱着するときには、上記と同様の手順により電池蓋３１および電池３２を下筐体２から外し、ＳＩＭカードロック蓋３３を回動させて開口部３５を開いて、開口部３５からＳＩＭカード３５を外すことができる。
【００３６】
本実施の形態の折畳み式携帯電話によれば、ＳＩＭカードロック蓋３３によってＳＩＭカード挿抜用の開口部３５を開閉可能であるため、ＳＩＭカード３７を開口部３５に差し込んで装着した後にその開口部３５をＳＩＭカードロック蓋３３で閉じることができる。開口部３５をＳＩＭカードロック蓋３３で閉じた状態で電池３２を下筐体２の電池挿入用凹部３４に装着することにより、このＳＩＭカードロック蓋３３が開くことを電池３２により防止することが可能となる。これにより、携帯情報機器を落下させた場合においても、開口部３５をＳＩＭカードロック蓋３３で閉じた状態を維持できるため、落下の衝撃で開口部３５からＳＩＭカード３７が飛び出して電池３２の下に潜り込むという現象を防止できる。
【００３７】
また、電池３２を装着するための電池挿入用凹部３４の側面にＳＩＭカード３７を挿抜するための開口部３５が設けられているため、電池３２を下筐体２から取り外さなければ、ＳＩＭカード３７を開口部３５から取り外すことができない。このため、「電池を脱着した後でＳＩＭカードを脱着する」という順序を守れる構造を実現することができる。
【００３８】
上記においては、ＳＩＭカードロック蓋３３が下筐体２に対して回動する場合について説明したが、ＳＩＭカードロック蓋３３は下筐体２に対してスライドすることにより開口部３５を開閉するものであっても良い。この場合、ＳＩＭカードロック蓋３３は薄い平面の板材（樹脂の板でも板金の板でもよい）よりなり、かつ下筐体２にはその薄い板材をスライド可能に挿入し位置決めするための溝が形成されることになる。つまり、ＳＩＭカードロック蓋３３が溝に沿ってスライドすることにより開口部３５の開閉が可能となる。このような形態のＳＩＭカードロック蓋３３を用いた場合でも、携帯電話の落下により電池蓋３１が撓んで膨らみ、電池３２が浮いて、その下にＳＩＭカード３７がカード支持台から外れて潜り込むという問題を解決することができる。
【００３９】
上記の実施の形態においては、折畳み式携帯電話（クラムシェルタイプの携帯電話）について説明したが、本発明はこれに限定されるものではなく、ストレートタイプの携帯電話またはフリップタイプの携帯電話に適用することもできる。
【００４０】
また、上記の実施の形態においては、携帯情報機器として携帯電話について説明したが、本発明は携帯電話だけでなくＳＩＭカードの取り付け可能な携帯情報機器全般に適用でき、さらに携帯用情報端末（ＰＤＡ：personal data assistant）、ノート型のパーソナルコンピュータなどの携帯情報機器に広く適用され得る。
【００４１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４２】
本発明は、ＳＩＭカードの取付け構造を有する携帯情報機器に有利に適用され得る。
【図面の簡単な説明】
【００４３】
【図１】本発明の一実施の形態における折畳み式携帯電話の開いた状態を示す正面図である。
【図２】本発明の一実施の形態における折畳み式携帯電話の開いた状態を示す背面図である。
【図３】本発明の一実施の形態における折畳み式携帯電話を閉じて（折畳んで）電池蓋と電池とを取り外した状態であって、ＳＩＭカードロック蓋でＳＩＭカード挿抜用開口部を閉じた状態を示す斜視図である。
【図４】本発明の一実施の形態における折畳み式携帯電話を閉じて（折畳んで）電池蓋と電池とを取り外した状態であって、ＳＩＭカードロック蓋でＳＩＭカード挿抜用開口部を開いた状態を示す斜視図である。
【図５】ＳＩＭカードロック蓋の形状を示す概略斜視図である。
【図６】ＳＩＭカードの形状を示す概略図である。
【図７】本発明の一実施の形態における折畳み式携帯電話でのＳＩＭカードの装着動作の第１工程を示す斜視図であり、電池蓋のロックを外す状態を示す図である。
【図８】本発明の一実施の形態における折畳み式携帯電話でのＳＩＭカードの装着動作の第２工程を示す斜視図であり、電池蓋を外す状態を示す図である。
【図９】本発明の一実施の形態における折畳み式携帯電話でのＳＩＭカードの装着動作の第３工程を示す斜視図であり、電池を外す状態を示す図である。
【図１０】本発明の一実施の形態における折畳み式携帯電話でのＳＩＭカードの装着動作の第４工程を示す斜視図であり、ＳＩＭカードロック蓋を開く状態を示す図である。
【図１１】本発明の一実施の形態における折畳み式携帯電話でのＳＩＭカードの装着動作の第５工程を示す斜視図であり、ＳＩＭカードを挿入する状態を示す図である。
【図１２】本発明の一実施の形態における折畳み式携帯電話でのＳＩＭカードの装着動作の第６工程を示す斜視図であり、ＳＩＭカードの挿入後、ＳＩＭカードロック蓋を閉じる状態を示す図である。
【図１３】本発明の一実施の形態における折畳み式携帯電話でのＳＩＭカードの装着動作の第７工程を示す斜視図であり、電池を挿入する状態を示す図である。
【符号の説明】
【００４４】
１  上筐体、１１  表示部、１２  受話部、１３  サブ表示部、１４  カメラ、１５  照明部、２  下筐体、２１  入力部、２２  送話部、３１  電池蓋、３２  電池、３３  ＳＩＭカードロック蓋、３４  電池挿入用凹部、３５  開口部、３６  格納用溝、３７  ＳＩＭカード、４１  回転軸部、４２  爪、４３  突起部、５０  折畳み式携帯電話。
【図１】
2005159638.tif 000003
【図２】
2005159638.tif 000004
【図３】
2005159638.tif 000005
【図４】
2005159638.tif 000006
【図５】
2005159638.tif 000007
【図６】
2005159638.tif 000008
【図７】
2005159638.tif 000009
【図８】
2005159638.tif 000010
【図９】
2005159638.tif 000011
【図１０】
2005159638.tif 000012
【図１１】
2005159638.tif 000013
【図１２】
2005159638.tif 000014
【図１３】
2005159638.tif 000015